(57)【要約】【課題】イオン導入器の駆動時に使用されるパルスを制御することで、痛みなく安全に使用できるイオン導入器を提供する。【解決手段】前記パルス出力部１２が各パルス生成時にパルスの立ち上がり時間を十分与えるので、生体が電気を感じるコヒーレ電圧に急激に到達することなく、パルスの電圧レベルがゆっくりと上昇しコヒーレ電圧に到達して生体に対して電気を感じさせることを防止して、本イオン導入器を快く使用することができる。【選択図】図２
2010234092.tif 000002
【特許請求の範囲】
【請求項１】
患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器において、前記パルス出力部が、正又は負のパルスを出力した後に逆極性のパルスを出力する場合に正又は負のパルス出力後休止期間を経て逆極性のパルスを出力することを特徴とするイオン導入器。
【発明の詳細な説明】
【技術分野】
【０００１】
本発明は、イオン化溶液中に含まれるイオン化成分を前記パルス出力部からのパルスによって生体へ導入するイオン導入器に関し、特に、パルス出力部からのパルスの出力に関する。
【背景技術】
【０００２】
背景技術となる第１のイオン導入器としては、特開２０００−２１０３８５号公報に開示されるものがある。この背景技術となる第１のイオン導入器は、図１１に示すように本体１０１の上端前方には使用者の顔面皮膚に接触し、ガルバニックイオン電流を出力する顔面皮膚接触部１０２が設けられており、この顔面皮膚接触部１０２の周縁部の内側に複数の遠赤外線ダイオードＵＤ1、ＵＤ２、ＵＤ３が設けられ、振動発生部及び遠赤外線を出力する遠赤外線出力部１０４を備え、本体１０１の左右両側には、使用者が本体を握ったとき、皮膚と接触される接地部１０６が設けられている構成である。この背景技術となる第１のイオン導入器によれば、直流／直流変換部を用いて、バッテリの電源を昇圧させ、この昇圧した電源でガルバニックイオン電流を出力し、さらに、振動発生部及び遠赤外線出力部を備え、振動及び遠赤外線を発生し、使用者は簡便に携帯しながらガルバニックイオン電流、遠赤外線及び振動を用いて、皮膚美容を遂行するのは勿論、皮膚美容段階で出力するガルバニックイオン電流を周期的に可変させることにより、皮膚刺激の効果が高く、これにより、常に弾力性を有し、かつ色つやの良い皮膚を維持することができる。また、この背景技術となる第１のイオン導入器には、図１２に示すように、クレンジング、マッサージ、栄養供給、リフティングの各種パルス波形モードが用意されており、適宜各種パルス波形モードの動作が行われる。
【０００３】
背景技術となる第２のイオン導入器としては、特開２００２−３２０６８０号公報に開示されるものがあり、イオン化溶液中に含まれる各イオン化成分を生体へ導入するために、生体に接触する一対の電極に対して、プラスの極性の群発パルス信号とマイナスの群発パルス信号とを交互に供給することを特徴とするものである。この背景技術となる第２のイオン導入器によれば、プラスイオン化成分とマイナス化成分が混在したイオン化溶液中の各イオン化成分を効率良く生体内に導入することが可能な通電方法を提供することが可能となる。
【先行技術文献】
【特許文献】
【０００４】
【特許文献１】特開２０００−２１０３８５号公報
【特許文献２】特開２００２−３２０６８０号公報
【発明の概要】
【発明が解決しようとする課題】
【０００５】
前記背景技術となる第１のイオン導入器によれば、皮膚刺激の効果が高くて常に弾力性を有し、かつ色つやの良い皮膚を維持することが実現でき、前記背景技術となる第２のイオン導入器によれば各イオン化成分を効率良く生体内に導入することが実現できるものであると推測される。しかしながら、どちらの背景技術となるイオン導入器によっても、使用者の使用時の電気を感じる不快感を解消することはできないという課題を有する。使用者が使用時の電気を感じるのは、イオン導入器が出力するパルスの立ち上がりが急であり、この急な状態を維持してコヒーレ電圧を超えることにより使用者は電気を感じてしまう。他の原因としては、例え、コヒーレ電圧を満たしてパルスが立ち上がったとしても、使用者の皮膚にイオン導入器が接触する場合にはミクロ的には点接触であり、接触直前に点接触部分に電荷が集中して放電が生じる場合もあるからである。また、前記背景技術となる第１のイオン導入器においては図１２（ｂ）（ｄ）に示すように、前記背景技術となる第２のイオン導入器においては図１３（ａ）に示すように、正から負へのパルスの振幅変化がある場合に、両方とも、連続して振幅変化を行っており非常に高い電圧変化といえ、使用者が痛みを感じる場合があるという課題を有する。
【０００６】
他の課題としては、イオン導入器の継続使用により療法焼け、小水疱、大水疱、皮膚が赤くなるといった症状がでる場合があり、従来から逆電圧を印加することで対応してきたが、使用者が同一患部に対して長時間使用することには対応することができず、依然療法焼け等が生じていたという課題を有する。
【０００７】
そこで、本発明は、前記課題を解決するためになされたものであり、イオン導入器の駆動時に使用されるパルスを制御することで、痛みなく安全に使用できるイオン導入器を提供することを目的とする。
【課題を解決するための手段】
【０００８】
本発明に係るイオン導入器は、患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器であって、前記パルス出力部が各パルス生成時にパルスの立ち上がり時間を十分与えるものである。このように本発明においては、前記パルス出力部が各パルス生成時にパルスの立ち上がり時間を十分与えるので、生体が電気を感じるコヒーレ電圧に急激に到達することなく、パルスの電圧レベルがゆっくりと上昇しコヒーレ電圧に到達して生体に対して電気を感じさせることを防止して、本イオン導入器を快く使用することができる。前記パルス出力部が各パルス生成時にパルスの立ち上がり時間を十分与えるとしているが、パルス出力部にパルスの立ち上がり時間を十分与えるための回路を構成してもよいし、別途制御部を設けてかかる制御部の制御下パルス出力部がパルスの立ち上がり時間を十分与えてもよい。
【０００９】
また、本発明に係るイオン導入器は、患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器であって、前記パルス出力部が、パルス出力開始からの時間経過又は出力済みパルスに応じてパルスの振幅を所定値まで大きくするものである。このように本発明においては、前記パルス出力部が出力済みパルスに応じてパルスの振幅を所定値まで大きくしているので、イオン導入器の電極部が患部に接触する場合に、ミクロ的に点接触直前であっても電圧レベルが不十分で放電が生じるような電荷の集中がなく痛みなく使用することができる。ここでのパルスの振幅とは、パルスの電圧レベルのことをいう。
【００１０】
また、本発明に係るイオン導入器は、患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器であって、前記パルス出力部が、パルス出力開始からの時間経過又は出力済みパルスに応じてパルス幅を所定値まで大きくするものである。このように本発明においては、前記パルス出力部が、パルス出力開始からの時間経過又は出力済みパルスに応じてパルス幅を所定値まで大きくするので、開始から経過するに従ってパルス幅が大きくなっていき、イオンクレンジングにおいては皮膚に刺激を与えることなく通常の皮膚の状態で徐々に皮膚の深部に蓄積している毒素や老廃物を除去し、イオン導入においても同様に皮膚に刺激を与えることなく通常の皮膚の状態で徐々に皮膚の深部に化粧水等の養分を浸透させることができ、言い換えれば、このジョブリングによって老廃物の除去、養分の浸透等の人体への物質の出入を促進させることができる。
【００１１】
また、本発明に係るイオン導入器は、患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器であって、前記パルス出力部が、正又は負のパルスを出力した後に逆極性のパルスを出力する場合に正又は負のパルス出力後休止期間を経て逆極性のパルスを出力するものである。このように本発明においては、前記パルス出力部が正のパルスを出力した後に負のパルスを出力する場合に正のパルス出力後休止期間を経て負のパルスを出力するので、生体に過剰な電圧レベルの変化の負荷を与えることなく駆動することができる。
【００１２】
また、本発明に係るイオン導入器は、患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器であって、前記パルス出力部が所定期間連続してパルスを出力した場合に、警告又はパルスの出力を停止するものである。このように本発明においては、前記パルス出力部が所定期間連続してパルスを出力した場合に、警告又はパルスの出力を停止するので、使用者が同一患部に電極部を接触させた状態でいると、所定期間経過後に警告又はパルスの出力が停止され、同一箇所の過度の施療がなくなり、療法焼け、小水疱、大水疱、皮膚が赤くなるといった状態を未然に防止でき、安全に使用することができる。
【００１３】
また、本発明に係るイオン導入器は必要に応じて、パルス立ち上がり期間を十分にとること又はパルスの振幅を所定値まで大きくすることにより減少した電荷量を補うようにパルス幅を大きくするものである。このように本発明においては、パルス立ち上がり期間を十分にとること又はパルスの振幅を所定値まで大きくすることにより減少した電荷量を補うようにパルス幅を大きくするので、パルス緩慢立ち上がり機能又はソフトスタートを採用すると、イオン導入に係る総電荷量が減ることになるが、これはパルス幅を広げることで総電荷量を従来と同様に維持することができ、イオン導入の効果も同様に維持することができる。
【００１４】
また、本発明に係るイオン導入器は、患部に電流を出力する電極部と、当該電極部にパルスを出力するパルス出力部と、当該パルス出力部に各種電流を供給する電源部とを備え、イオン化溶液中に含まれるイオン化成分を前記パルス出力部からのパルスによって生体へ導入するイオン導入器であって、前記パルス出力部が各パルス生成時にパルスの立ち下がり時間を十分与えるものである。このように本発明においては、前記パルス出力部が各パルス生成時にパルスの立ち下がり時間を十分与えるので、コヒーレ電圧以上の電圧からGNDレベルまで電圧が急激に下がった場合には痛みは感じないが、違和感を感じることがあり、十分な立ち下り時間を確保することにより、この違和感をも感じさせることなく施療を行うことができる。
【図面の簡単な説明】
【００１５】
【図１】本発明の第１の実施形態に係るイオン導入器の全体ブロック図である。
【図２】本発明の第１の実施形態に係るイオン導入器のイオンクレンジングのモードの波形図である。
【図３】本発明の第１の実施形態に係るイオン導入器のマッサージのモードの波形図である。
【図４】本発明の第１の実施形態に係るイオン導入器のイオン導入のモードの波形図である。
【図５】本発明の第１の実施形態に係るイオン導入器のリフティングのモードの波形図である。
【図６】本発明の第１の実施形態に係るイオン導入器のイオンクレンジングのモードの場合にソフトスタートを適用したときの波形図及び要部拡大図である。
【図７】本発明の第１の実施形態に係るイオン導入器の具体的構成における全体斜視図である。
【図８】本発明の第１の実施形態に係るイオン導入器の具体的構成における六面図である。
【図９】本発明の第１の実施形態に係るイオン導入器の各モードの各部の波形図である。
【図１０】本発明の第２の実施形態に係るイオン導入器のイオンクレンジングのモード及びイオン導入のモードの場合にジョブリングを適用したときの波形図である。
【図１１】従来のイオン導入器の全体斜視図である。
【図１２】従来のイオン導入器の各モードの波形図である。
【図１３】従来のイオン導入器の各モードの波形図である。
【発明を実施するための形態】
【００１６】
（本発明の第１の実施形態）
本発明の第１の実施形態に係るイオン導入器について図１ないし図９に基づき説明する。図１は本実施形態に係るイオン導入器の全体ブロック図、図２は実施形態に係るイオン導入器のイオンクレンジングのモードの波形図、図３は本実施形態に係るイオン導入器のマッサージのモードの波形図、図４は実施形態に係るイオン導入器のイオン導入のモードの波形図、図５は本実施形態に係るイオン導入器のリフティングのモードの波形図、図６は本実施形態に係るイオン導入器のイオンクレンジングのモードの場合にソフトスタートを適用したときの波形図及び要部拡大図、図７は本実施形態に係るイオン導入器の具体的構成における全体斜視図、図８は本実施形態に係るイオン導入器の具体的構成における六面図、図９は本実施形態に係るイオン導入器の各モードの各部の波形図である。
【００１７】
本実施形態に係るイオン導入器は、患部に電流を出力する電極部と、この電極部にパルスを出力するパルス出力部と、このパルス出力部に各種電流を供給する電源部とを備え、イオン化溶液中に含まれるイオン化成分を前記パルス出力部からのパルスによって生体へ導入するものであって、前記パルス出力部が各パルス生成時にパルスの立ち上がり時間を十分与えパルスの立ち上がりの波形の形状が湾曲とし、また、前記パルス出力部が出力済みパルスに応じてパルスの振幅を所定値まで大きくし、さらにまた、前記パルス出力部が正のパルスを出力した後に負のパルスを出力する場合に正のパルス出力後休止期間を経て負のパルスを出力する構成である。
【００１８】
図２又は図４に示すようにパルス出力部が各パルス生成時にパルスの立ち上がり時間を十分与えパルスの立ち上がりの波形の形状が湾曲とする（以下、パルス緩慢立ち上がり機能とする）ことで、生体が電気を感じるコヒーレ電圧に急激に到達することなく、パルスの電圧レベルがゆっくりと上昇しコヒーレ電圧に到達して生体に対して電気を感じさせることを防止して、本イオン導入器を快く使用することができる。特に、イオン導入器を顔を患部として使用する場合には、顔の皮膚が敏感であるため、かかる電気を感じる場合の不快感は他の患部と比較しても著しく、本イオン導入器が有効である。なお、図３又は図５では、各パルスを詳細に示すことなく、総括的にパルスを示しているだけであって、図２又は図４と同様にパルス出力部が各パルス生成時にパルスの立ち上がり時間を十分与えパルスの立ち上がりの矩形の形状を湾曲としている。なお、図３又は図５は、パルスの集合により構成されているが、パルスからなるのではなく実際に電圧制御してかかる波形の電圧を正確に印加することもできる。また、人体が痛みを感じないための具体的な立ち上がり時間は、０．１［ｍｓ］ないし１［ｍｓ］であることが好ましい。他の表現をすれば、これもパルスの種類にも拠るわけであるが、周期の４０［％］程度までならイオン導入の効果の観点から許容できる範囲である。より十分な時間をとって立ち上げることは人体の痛みが生じないという観点からは望ましいが、パルスの周期よりも大きくなれば立ち上がる前にパルスが終了し、また、イオン導入の効果の観点からも望ましくなく限界がある。また、図３と図５との違いは、図５の方がパルスの周期が大きいことである（例えば、図３のパルスの周期の１０倍程図５のパルスの周期がある）。
【００１９】
図６に示すように（（ｂ）は（ａ）の丸囲みの拡大図である）前記パルス出力部が出力済みパルスに応じてパルスの振幅を所定値まで大きくする（以下、ソフトスタートとする）ことで、パスルが出力されていくうちにパスルの振幅が大きくなっていき、開始からパルスの最大振幅が所定値の電圧レベルではなく徐々に所定値の電圧レベルのパルスに変化していくため、イオン導入器の電極部が患部に接触する場合に、ミクロ的に点接触直前であっても電圧レベルが不十分で放電が生じるような電荷の集中がなく痛みなく使用することができる。ここで、出力済みパルスに応じてとは、直近のパスルの電圧レベルであってもよいし、既に出力されているパスル数であってもよく、出力済みパルスに関するものであればよい。例えば、出力済みパルスを直近のパルスの電圧レベルとすると、直近のパルスの電圧レベルの５［％］上昇させて次のパルスを出力して順次出力していくことで所定値の電圧レベルに到達することができる。なお、図６（ｂ）を参照すると分かるように、パスルは連続して徐々に振幅が大きくなっているが、パルス出力部の回路構成又はパルス出力部を制御するマイコン等の制御が複雑となることを回避するために、複数パルス出力後に、次に出力する複数のパルスの振幅を大きくして出力し、同様にこれを繰り返し、すなわち、パルス毎にパルスの振幅を大きくするのではなく、複数のパルス毎にパルスの振幅を複数パルス分振幅を大きくすることもできる。この場合には、パルスの最大振幅値の点を結びあわせることで曲線ができる図６（ｂ）のようではなくて、同様に最大振幅値の点を結びあわせることで階段状のラインとなる。
【００２０】
図２ないし図５に示すように、前記パルス出力部１２が正のパルスを出力した後に負のパルスを出力する場合に正のパルス出力後休止期間を経て負のパルスを出力する（以下、休止期間付加機能とする）ことにより、正のパルスの電圧レベルから負のパルスの電圧レベルに一気に変化することなく、正のパルスの電圧レベルからベースレベルの電圧レベルに、休止期間を経て、ベースレベルの電圧レベルから負のパルスの電圧レベルに変化するため、生体に過剰な電圧レベルの変化の負荷を与えることなく駆動することができる。
【００２１】
以下、図７又は図８に基づき具体的構成で本イオン導入器を説明する。このイオン導入器は、電流を出力する円状の電極部１と、この電極部１と連結部２を介して結合する介装体３と、電極部１と連結部２を介して結合している面の対向面の介装体３上に電極部１の円状と略同心円で中空を有して面設されているドーム部４と、連結部２が結合している介装体３の先端３ａと逆の介装体の後端３ｂで前記ドーム部４が面設されている面に配設されている上部外装体５と、この上部介装体５と面対称に介装体３に配設されている下部外装体６とからなる構成である。
【００２２】
前記電極部１は、導電性部材からなり、同じく導電性部材からなる対極電極部８と共に、人体を介して導通状態となる。実際の使用時には、電極部１が患部に接触し、対極電極部８が本美容機器を持つ掌や手の指等と接触し、電極部１（又は対極電極部８）から人体を介して対極電極部８（又は電極部１）へ向かって電流が流れる。電極部１には電流の供給を受けるべく、電極ライン１ａが本体１０の内部に内設されている。ただし、電源ライン１ａは１本であり、もう１本は人体を導体とみなすので不必要である。
【００２３】
前記介装体３は後端３ｂから先端３ａへ向かって拡幅して形成される平板状のものであり、前記連結部２は介装体３の中央部先端３ａ寄りの部分から垂直に延出して形成されたものであり、これら介装体３と連結部２とは同一材質の透明な樹脂から一体成形されている。
【００２４】
前記ドーム部４は、電極部１と略同心円で中空を有してドーム状に、前記介装体３と連結部２と同一材質で介装体３と連結部２とは別体に成形され、接面４ａのみを粗面に形成されているものである。この別体に成形されたドーム部４を、介装体３の先端３ａ方向上面に接着して面設している。
【００２５】
前記上部外装体５は、後端に対極電極部８が形成されており、内部に電池からの電流の供給を受け、かかる電流をパルスに換え、電極部１（又は対極電極部８）にパルスを出力するように制御する制御部９を実装している回路基盤が配設されている。上部外装体５は前記介装体３、連結部２及びドーム部４と異なり有色にて形成されており、これは、内部の回路基盤を被覆するためである。したがって、外観者に対する美観を向上させるためにデザイン上特化させるために透明又は半透明にして内部の回路基板を故意に透過させる場合もある。
【００２６】
前記下部外装体６は、上部外装体５と同様に後端に対極電極部８が形成されており、内部に電流供給元となる電池が脱着可能となる電池収納部が形成されている。下部外装体６も、上部外装体５と同様な理由で有色にて形成されている。ここでの電池は、充電型であり、充電容量がなくなった場合には、音により知らせる構成とすることができる。
【００２７】
上部介装体５と下部介装体６とで挟装された前記介装体３の一部が手持部を形成し、上部介装体５、下部介装体６及び介装体３で本体１０を構成している。電極部１はこの本体１０と離隔され、連結部２を介して本体１０と結合し離隔空間１１を形成している。この電極部１が本体１０と離隔され、本体１０と電極１との間に離隔空間１１を形成しているため、使用者が本美容機器を使用している場合及び使用しながら電源スイッチ５ａ等の操作部を操作する場合等の電極部１に電流が出力されている状態において、離間空間１１を設けている分患部以外の使用者の体（特に、指）が電極部１に接触する可能性が低くなりショート等の不具合の発生を抑制することができ、また、電極部１と本体１０とは連結部２で結合されており手の化粧水、汗等又は患部の化粧水、汗等が伝わりにくくショート等の不具合の発生を抑制することができる。ここで、前記離間空間１１の離間距離を離せば離す程、離間距離を設けている分患部以外の使用者の体が電極部１に接触する可能性が低くなるためよりショート等の不具合の発生を抑制することができるが、実用的な範囲であることが望ましい。また、電極部１と本体１０とを結合する連結部２もある程度離間距離を維持しつつ連結部２の表面積を小さくすることで化粧水、汗等が伝わることを防止することができるが、連結部２としての役割を果たすための強度が必要となるため、ある程度の表面積が必要となる。
【００２８】
本体１０の一部を構成する介装体３は後端３ｂから電極部１が配置している先端の方向に向かうに従い拡幅しており、且つ、介装体３の全体が透明な樹脂からなっている。この本体の形状が電極部１配置方向に向かうに従い拡幅しているため、使用者が本美容機器を使用している場合及び使用しながら電源スイッチ５ａ等の操作部を操作する場合等の電極部１に電流が出力されている状態において、電極部１が配置されている介装体３の先端が拡幅している分患部以外の使用者の体（特に指）が回り込んで電極部１に接触する可能性が相当低くなりショート等の不具合の発生を抑制することができ、また、電極部１周辺の本体１０が透明であり使用者が患部周辺を視認しながら本美容機器を用いることができ利便性もよい。
【００２９】
前記ドーム部４は、中空を有し、介装体３と面設するためにドーム部４の水平方向に切った接面４ａが設けられている。この接面４ａは粗面に形成され、この接面４ａが形成する輪の中に介装体３の電極部１への対向部分が入るように形成されている。接面４ａの外円の線を外線４ａ１とし、内円の線を内線４ａ２とする。接面４ａが形成する輪の中に介装体３の電極部１への対向部分が入るように形成されており、接面４ａが発光ダイオード７からの光により光るということは、介装体３の電極部１への対向部分が際立って光っている部分の輪の中に入っていることとなり、本体１０が電極１の外周に沿って発光していることとなるため、本美容機器を使用している場合であっても電極部１の位置が把握でき、患部に電極部１を接触している時に電極部１が患部の所望部分に接触しているか否かを本美容機器側面側から覗き込むことなく、正面方向から確認でき利便性が高く、さらに、顔に使用している場合には通常鏡を見ながら行うが光っており視認性が高いため近くで凝視しながら使用する必要がなく利便性が高い。なお、この特徴により視認性が向上しているが、美観上やさしく光って癒しの光となって使用者を和ませる効果もある。なお、このドーム部４の接面４ａの直下の介装体３に発光ダイオード７を内設することもでき、この場合には発光ダイオード７に電流を供給する発光ダイオードライン７ａが上部外装体５内部の回路基盤と接続するために発光ダイオード７から介装体３の後端３ｂ方向へ延設して電源ラインを確保できる。この発光ダイオード７が発光することで介装体３の中で発光ダイオード７から光が射出し発光ダイオード７が内設されている部分の介装体３が光るように見え、特に、接面４ａが粗面に形成されているためスクリーンの役目を果たし介装体３と接面４ａとの結合面（接面４ａ）が際立って光らせることができる。
【００３０】
前記電極部１の背面には、モーターに偏芯したおもりをつけ回転させてその遠心力によって振動を発生させるバイブレータ（図示しなし）が配設されている。このバイブレータは振動を発生するものとして用いている。通常、やせにくく燃焼されない脂肪の固まりであるセルライトを解消するためには、ボディに関してはローラーで摘み上げる方法であるローラー摘み上げ法を適用するのが一般的であるが、刺激に敏感な顔の肌には直接用いることができない。そこで、垂直に小刻みにパッティングさせ、適度な刺激を顔の肌に与えるためにバイブレータを用いた。したがって、バイブレータの代替として、他に垂直に小刻みにパッティング可能なものを使用することができる。バイブレータには電流の供給を受けるべく、バイブレータライン１３ａが本体１０の内部に内設されている。なお、電磁石で発音体を振動させる音響器具であるブザーを用いることができ、垂直に振動を発生させた方がパッティングとしてよいため、ブザーの方が好ましい場合がある。また、ブザーは警告音として用いることもでき、本実施形態においては使用者が所定時間を超えて使用した場合に鳴らすこともできる。同様に、バイブレータも故意に音を発生されることもでき、警告する場合には音を生じさせるように駆動させ、通常の振動を患部に与える場合には音を生じないように駆動させ、切り替えて使用することもできる。
【００３１】
前記制御部９は、図１に示すように、電源スイッチ５ａからの入力を受け、発光ダイオード７、パルス出力部１２及び前記バイブレータからなるバイブレータ部１３を制御する。この制御部９は実際には主にマイクロコンピュータにより実装され、その余の部分は回路からなる。前記発光ダイオード７は、制御部９から出力された制御信号（発光用制御信号）に従って発光する。前記パルス出力部１２は、制御部９から出力された制御信号（電極用制御信号）に従って電極部１及び対極電極部８にパルスからなる電流を出力する。前記バイブレータ部１３は、制御部９から出力された制御信号（バイブレータ用制御信号）に従ってモータを回転させる。
【００３２】
前記パルス出力部１２が出力するパルスには用途毎にモードがあり、本実施形態においては、皮膚の深部に蓄積している毒素や老廃物を除去するイオンクレンジング、顔面皮膚の穴を拡張及び縮小させ色艶の良い弾力性のある皮膚に維持させるマッサージ、皮膚の深部に化粧水等の養分を浸透させるイオン導入、及び、皮膚の毛穴を拡縮させ張りのある皮膚を保持させるリフティングのモードがある。イオンクレンジング、マッサージ、イオン導入及びリフティングのパルス波形をそれぞれ図２、図３、図４、図５に示す。イオン導入時にマイナス極性のパルスを出力しているが、これはマイナスの極性の化粧水等を反発力を利用して浸透させるためである。プラスの極性の化粧水であれば逆にプラス極性のパルスを出力するのが望ましい。前記イオンクレンジング、マッサージ及びイオン導入時には、パスルと連動させてバイブレータ部を駆動させ振動を患部に与える。
【００３３】
前記発光ダイオード７も複数あり、電源のＯＮ／ＯＦＦを示す電源LED、現在どのモードかを示すモード表示LED７ｂ、及び、パルスの出力とバイブレータの振動の強弱を示す強・弱表示LED７ｃからなる。電源LEDは動作中一定周期で明暗を繰返す。電源LEDはフルカラーLEDであり電源スイッチの反対面から上部に向かって点灯する。モード表示LED７ｂはフルカラーLEDを用いる。そして、制御部９は使用者が発光ダイオードの光の色により各モードを判別できるように、例えば、イオンクレンジング時には水色、マッサージ時には橙、イオン導入時には青色、リフティング時には白色に発光するように制御する。強・弱表示LED７ｃは、それぞれLEDが用意され、強の場合には強用LEDが発光し、弱の場合には弱用LEDが発光している。
【００３４】
また、制御部９は、パルス出力部１２から人体検知用の検出信号を適宜出力するようにしている。人体検知とは、電極部１が人体と接触しているか否かを検知するものである。人体検知を使用する目的は、人体を検知してパルスを出力するようにし確実にイオン導入を使用者に行うことである。本発明においては、ソフトスタートを行うために特に有用であり、すなわち、人体に確実に電極部１が接触している状態でソフトスタートをする意味があり、人体に電極部１が接触していない状態でソフトスタートしても意味がないということである。パルス出力部１２から各モードのパルスが出力されている場合には、検出信号は出力しなくてもよい。これは、各モードのパルスが適切に出力されている場合には、人体に電極部１が接触しているため、別途検出信号を出力する必要がないことによるものである。ここで、適切に電極部１が人体に接触していることを使用者に知らせるために、発光ダイオード７の発光を変化させる。具体的には、人体検知がなされるまでは、発光ダイオード７を点滅させ、人体検知がなされれば点灯に移行するようにする。
【００３５】
前記人体検知は、具体的には、パルス出力部１２から、所定周波数の検出信号が電極部１に出力されている。この検出信号は、人体と電極部１が接触している場合には人体を通って対極電極部８に入力される。人体を介してしているので、電極部１で検出される検出信号と比べると、対極電極部８で検出される検出信号がノイズが入った微弱な信号となっている。このような信号により人体と実際に接触しているか否かを判別する場合に、単純に検出信号の１つでも検出されると人体が検知されると判別するのは早計であり、ノイズにより一時的に上昇した波高値である可能性もある。したがって、好ましくは、出力した検出信号に対応する対極電極８で検出された検出信号の平均をとって所定電圧レベル以上となっている場合にのみ動作モードに移行する構成とした方がよい。また、検出された検出信号の平均だけでなく、他にも、最初と最後のいくつかの検出信号を無視して残りの検出信号の平均を比較対象とすることもできる。最初と最後のいくつかの検出信号を無視したのは、一般に人体に対して電気信号を流した場合に、最初と最後の電気信号に対する検出信号が弱くなるという性質を考慮したものである。他には、前記性質を逆手にとって、電圧の変化率が高いポイントが２点あるか否かにより判別することもできる。この２点というのは、最初と最後の電気信号に対する検出信号が弱くなる部分のことを意味している。また、単に平均だけでなく、検出信号のうち所定の電圧レベルを超えた検出信号の数により判別してもよい。
【００３６】
使用者がイオン導入器を操作するためのスイッチ類は、電源スイッチ５ａ以外に、モード切替スイッチ５ｂ及び強弱スイッチ５ｃがある。モード切替スイッチ５ｂは、現在動作しているモードから他のモードに切り替えるためのスイッチである。モード切替スイッチ５ｂはどのモードであっても他のモードに移行することができる。モード切替スイッチ５ｂを押す毎に他のモードに移行するため、何度か押下すると一周して移行前のモードに戻ってくることになる。強弱スイッチ５ｃは、本スイッチの切り替えによりパルス出力部１２から主力されるパルスの出力電圧の強弱を選択したり、バイブレータの強弱を選択するものである。この強弱スイッチ５ｃによるパルスの出力電圧の強弱の選択及びバイブレータの強弱の選択を設けたのは（出力電圧が強でバイブレータも強であるモードをHighモードとし、出力電圧が弱でバイブレータも弱であるモードをLowとする）、使用者の選択の幅を広げるためである。詳述すれば、電気信号に対して恐怖心や敏感な人はイオン導入器を使用したいにも拘らず電気信号を避けることにより本イオン導入器の使用を躊躇うことが考えられるが、Lowモードを用意することによりこのような使用者であっても安心して使用することができる。一方、電気信号に対して恐怖心どころかチクチクする痛みに対し
て効果を確認するような使用者にとっては、Lowモードのみの使用では効果はある程度あるにも拘らず満足いくものではなくHighモード用意することによりこのような使用者にも対応することができる。
【００３７】
パルスは前記パルス出力部１２から出力されるのであるが、電極部１に対してパルスを出力するのか、対極電極部８に対してパルスを出力するのかは、前記モードにより異なる。電極部１に対してパルスを出力する場合には、対極電極部８はGNDに電圧レベルを落としておく必要がある。一方、対極電極部８に対してパルスを出力する場合には、電極部１はGNDに電圧レベルを落としておく必要がある。このようにパルスが出力されない側の電極をGNDに電圧レベルを落とすのは、出力されたパルスが人体を通って出力されない側の電極に通すためである。より詳述すれば、イオンクレンジングのモードの場合には、図９（ａ）に示すように、まず、対極電極部８をGNDに電圧レベルを落とし、電極部１にイオンクレンジングのモードのパルスをパルス出力部１２が出力する。イオンクレンジングのモードのパルスがパルス出力部１２から出力され終わってもしばらくは対極電極部８をGNDの電圧レベルに維持する。さらに、パルス出力部１２からの出力が終わった後、対極電極部８をGNDの電圧レベルに維持している間に、電極部１の電圧レベルをGNDにする。対極電極部８をGNDの電圧レベルに維持するのは、回路上の残留電荷をなくすためであり、電極部１の電圧レベルをGNDにするのは対極電極部８との電圧レベルとを同一にするためであり、これにより人体の残留電荷がなくなり極性の変化があっても皮膚に過電圧が印加されないようになる。そして、電極部１又は対極電極部８のどちらか一方がGNDに落としておく必要がある。これは、残留電荷が回路の出力側に残存し、素子を破壊する可能性があるからであり、また、患部にも残留電荷が残存し、過電圧が生じる可能性があるからである。ここで、電極部１、電極部１をGNDに落とすための回路、対極電極部８及び対極電極部８をGNDに落とすための回路でブリッジ回路を構成する場合には互いに短絡しないようにタイミングをずらす必要がある。他のモードを示す図９（ｂ）ないし図９（ｄ）でも同様である。
【００３８】
次に、本実施形態に係るイオン導入器の動作について説明する。使用者は、イオン導入器の電源スイッチ５ａを押下してイオン導入器を起動させる。制御部９が起動し、全ての発光ダイオード７を所定時間点灯させる。この点灯は、待機モードから動作モードに移行したことを示す。動作モードに移行すると、制御部９はパルス出力部１２から検出信号を出力する。所定期間の間に検出信号の出力に対して信号の受信ができない場合には、待機モードに移行する。一方、所定期間内に検出信号の出力に対して信号の受信ができた場合には、制御部９によりイオンクレンジングのモードに移行する。イオンクレンジングのモードでは、制御部９がパルス出力部１２に早い周期のパルス出力をさせると共にバイブレータ部１３に振動させて皮膚内部の汚れを排出させる。このイオンクレンジングのモードの動作と共に、制御部９がモード表示LED７ｂを水色に点灯させる。イオンクレンジングのモードの終了後、一端休止する。これはイオンクレンジング後にパフや洗顔等を使用者が行う必要があるからである。使用者がかかるパフ等をした後、電源スイッチ５ａを押下し休止を解いて、制御部９によりマッサージのモードに移行する。マッサージのモードでは、制御部９が１００［ｍsec］の間に１：１Dutyの＋／−の出力をパルス出力部１２に
させると共にバイブレータ部１３を振動させて肌をマッサージする。このマッサージのモードの動作と共に、制御部９がモード表示LED７ｂを橙に点灯させる。マッサージのモードの終了後、一端休止する。使用者は患部にプロビタミンCを浸透させたパットを電極部１に取り付け、使用者が電源スイッチ５ａを押下することで、制御部９により取り付け後イオン導入のモードに移行する。イオン導入時には、制御部９が早い周期のパルス出力をパルス出力部１２にさせると共にバイブレータ部１３を振動させて皮膚の中にプロビタミンＣを浸透させる。このイオン導入のモードの動作と共に、制御部９がモード表示LED７ｂを青色に点灯させる。イオン導入のモードの終了後、電極部１に取り付けたパッドを使用者が取り外し、制御部９によりリフティングのモードに移行する。このリフティング時には、浸透させたプロビタミンＣを安定させるため、制御部９がパルス出力部１２に約１［min］間１：１Dutyの＋／−の出力をさせる。このときはバイブレータ部１３の振動はない。このリフティングのモードの動作と共に、制御部９がモード表示LED７ｂを白色に点灯させる。以上で、通常のイオン導入の動作は終了し、待機モードに移行する。
【００３９】
前記イオン導入器の動作中は、出力される各パルスは前述した通り、パルス緩慢立ち上がり機能によりパルスの立ち上がり時間を十分与えパルスの立ち上がりの波形の形状を湾曲させている。また、最初のイオン導入器の動作開始にソフトスタートでパルスが出力され始めるだけでなく、一旦患部から所定期間以上電極部１が離れた場合で再び人体検知により接触が検出された場合にはソフトスタートでパルスが出力される。ここで、人体検知はパルス出力中にはパルス出力部１２から出力されないと説明したが、一端電極部１が患部から離れた場合には再び人体検出をすべく検出信号が出力される。さらにまた、イオン導入器の動作中は、休止期間付加機能により、パルス出力部１２が正のパルスを出力した後に負のパルスを出力する場合に正のパルス出力後休止期間を経て負のパルスを出力するようになっている。
【００４０】
このように本実施形態に係るイオン導入器によれば、前記パルス出力部が各パルス生成時にパルスの立ち上がり時間を十分与えパルスの立ち上がりの波形の形状が湾曲としているので、生体が電気を感じるコヒーレ電圧に急激に到達することなく、パルスの電圧レベルがゆっくりと上昇しコヒーレ電圧に到達して生体に対して電気を感じさせることを防止して、本イオン導入器を快く使用することができる。また、前記パルス出力部が出力済みパルスに応じてパルスの振幅を所定値まで大きくしているので、イオン導入器の電極部が患部に接触する場合に、ミクロ的に点接触直前であっても電圧レベルが不十分で放電が生じるような電荷の集中がなく痛みなく使用することができる。また、前記パルス出力部が正のパルスを出力した後に負のパルスを出力する場合に正のパルス出力後休止期間を経て負のパルスを出力するので、生体に過剰な電圧レベルの変化の負荷を与えることなく駆動することができる。
【００４１】
なお、本実施形態に係るイオン導入器においてのモードは、イオンクレンジング、マッサージ、イオン導入及びリフティングであったが、リフティングの後に目元ケアというモードを設けることもでき、高電圧のパルスを出力させることで目元のしわを伸ばすことができる（リフティング同様バイブレータ部１３の振動はさせない）。目元ケアの場合には、単にパルス出力部１２のパルスの種類を変えて出力するのではなく、患部である目元に応じたアタッチメントを本イオン導入器に取り付ける構成が望ましい。ちなみに、モード表示LED７ｂは目元ケアの場合には緑色に発光させる。
【００４２】
また、本実施形態に係るイオン導入器においてのモード表示LED７ｂは各モードのとき各色に（常時）点灯するとしたが、点灯８［sec］消灯２［sec］を繰り返す構成にすることもでき、バイブレータ部１３の振動も同様に常時振動するのではなく、On４［sec］Off１［sec］を繰り返す構成にすることもできる。さらには、バイブレータ部１３の振動のみを停止することもできる。
【００４３】
また、本実施形態に係るイオン導入器においては、制御部９によりパルス緩慢立ち上がり機能又はソフトスタートでパルスの振幅については制御するものの、パルス幅については制御していなかったが、パルス幅について制御することもできる。パルス緩慢立ち上がり機能又はソフトスタートを採用すると、イオン導入に係る総電荷量が減ることになるが、これはパルス幅を広げることで総電荷量を従来と同様に維持することができる。
【００４４】
また、本実施形態に係るイオン導入器においては、制御部９によりパルス緩慢立ち上がり機能でパルスの制御をし、パルスの立ち上がりにのみ着目しているが、パルスの立ち下りにも着目し十分な立ち下り時間を確保することもできる。パルスの立ち上がりに着目しているのは、コヒーレ電圧以上への急激な電圧に変化に対して人が痛みを感じるからであるが、一方、コヒーレ電圧以上の電圧からGNDレベルまで電圧が急激に下がった場合には痛みは感じないが、違和感を感じることがある。そこで、十分な立ち下り時間を確保することにより、この違和感をも感じさせることなく、施療を行うことができる。
【００４５】
（本発明の第２の実施形態）
本発明の第２の実施形態に係るイオン導入器について、図１０に基づき説明する。図１０は実施形態に係るイオン導入器のイオンクレンジングのモード及びイオン導入のモードの場合にジョブリングを適用したときの波形図である。
【００４６】
本実施形態に係るイオン導入器は、前記第１の実施形態と同様に構成され、前記パルス出力部１２が、出力済みパルスに応じてパルス幅を所定値まで大きくすることを異にする構成である。
【００４７】
出力済みパルスに応じてパルス幅を所定値まで大きくする（以下、ジョブリングとする）とは、パルスを出力しようとする場合に、既に出力されたパルスに基づきパルス幅を決めて出力するという意味である。たとえば、直前に出力されたパルス幅を５［％］大きくしてパルスを出力するというものである。他に、既に出力されたパルス数に基準となるパルス幅を乗じてものをパルス幅として出力することもできる。
【００４８】
次に、本実施形態に係るイオン導入器の動作について説明する。イオン導入器の動作は、前記第１の実施形態に係るイオン導入器の動作と同様であり、これらの動作に加えて、イオンクレンジングのモード及びイオン導入のモードの折に、ジョブリングを適用したパルスの出力が制御部９によりパルス出力部１２を介して行われる。
【００４９】
このように本実施形態に係るイオン導入器によれば、前記パルス出力部１２が、出力済みパルスに応じてパルス幅を所定値まで大きくするので、開始から経過するに従ってパルス幅が大きくなっていき、イオンクレンジングにおいては皮膚に刺激を与えることなく通常の皮膚の状態で徐々に皮膚の深部に蓄積している毒素や老廃物を除去し、イオン導入においても同様に皮膚に刺激を与えることなく通常の皮膚の状態で徐々に皮膚の深部に化粧水等の養分を浸透させることができ、言い換えれば、このジョブリングによって老廃物の除去、養分の浸透等の人体への物質の出入を促進させることができる。
【００５０】
なお、本実施形態に係るイオン導入器においては、出力済みパルスに応じてパルス幅を所定値まで大きくしているが、パルス出力開始からの時間経過に応じてパルス幅を所定値まで大きくすることもできる。
【００５１】
（本発明の第３の実施形態）
本発明の第３の実施形態に係るイオン導入器について説明する。
【００５２】
本実施形態に係るイオン導入器は、前記第１の実施形態と同様に構成され、前記パルス出力部が所定期間連続してパルスを出力した場合に、警告又はパルスの出力を停止することを異にする構成である。
【００５３】
パルス出力部が所定期間連続してパルスを出力しているということは、電極が常に患部に接触し続けていることを意味し、使用者が気になる同一箇所に対して使用している可能性が非常に高い。このように同一箇所に対して使用し続けると、いくらパルスの逆電圧を印加しても療法焼け、小水疱、大水疱、皮膚が赤くなるといった状態を避けることが難しい。そこで、パルス出力部が所定期間連続してパルスを出力している場合には、警告又はパルスの出力を停止することとした。ここで、電極部１を患部に継続して接触したまま患部を移動させる使用者も皆無とはいえないが、若干電極を患部から離して再び使用することで警告がなくなり又は再使用することができるので、使用における負担はそこまで大きくない。
【００５４】
次に、本実施形態に係るイオン導入器の動作について説明する。イオン導入器の動作は、前記第１の実施形態に係るイオン導入器の動作と同様であり、これらの動作に加えて、イオンクレンジング、マッサージ、イオン導入及びリフティングの各モードでパルスを出力している場合に、並列して、連続してパルスを出力している時間を制御部９がタイマーにより計測する。そして、タイマーに設定されている所定時間を経過すると、制御部９が警告又はパルス出力部１２にパルスの出力を止めさせる。ここで、タイマーは、連続使用でなく、パルスが途切れた場合には、リセットされる。
【００５５】
このように本実施形態に係るイオン導入器によれば、前記パルス出力部が所定期間連続してパルスを出力した場合に、警告又はパルスの出力を停止するので、使用者が同一患部に電極部１を接触させた状態でいると、所定期間経過後に警告又はパルスの出力が停止され、同一箇所の過度の施療がなくなり、療法焼け、小水疱、大水疱、皮膚が赤くなるといった状態を未然に防止でき、安全に使用することができる。
【００５６】
なお、本実施形態に係るイオン導入器においては、前記パルス出力部が所定期間連続してパルスを出力した場合に、警告又はパルスの出力を停止するとしているが、出力パルスに対するGND側での検出されたパルスとの電圧を比較し、比較結果の変化率が変化しない場合には同一箇所に使用しているとみなして、警告又はパルスの出力を停止するようにすることもできる。すなわち、通常電極の接触位置を変えることで人体の抵抗が変化し、電極部１を移動させることにより変化率が高くなるという原理に基づくものであり、前述した使用者が電極部１を患部に継続して接触したまま患部を移動させる場合であっても適切に判別し動作することができる。
【符号の説明】
【００５７】
１  電極部
１ａ  電極ライン
２  連結部
３  介装体
３ａ  先端
３ｂ  後端
４  ドーム部
４ａ  接面
４ａ１  外線
４ａ２  内線
５  上部外装体
５ａ  電源スイッチ
６  下部外装体
７  発光ダイオード
７ａ  発光ダイオードライン
７ｂ  モード表示LED
７ｃ  強・弱表示LED
８  対極電極部
９  制御部
１０  本体
１１  離隔空間
１２  パルス出力部
１３  バイブレータ部
１３ａ  バイブレータライン
１４  ＡＣアダプター
１５  充電器
１０１  本体
１０２  顔面皮膚接触部
１０４  遠赤外線出力部
１０６  接地部
【図１】
2010234092.tif 000003
【図２】
2010234092.tif 000004
【図３】
2010234092.tif 000005
【図４】
2010234092.tif 000006
【図５】
2010234092.tif 000007
【図６】
2010234092.tif 000008
【図７】
2010234092.tif 000009
【図８】
2010234092.tif 000010
【図９】
2010234092.tif 000011
【図１０】
2010234092.tif 000012
【図１１】
2010234092.tif 000013
【図１２】
2010234092.tif 000014
【図１３】
2010234092.tif 000015